(57)【要約】【課題】多目的に使用可能な生育調節剤【解決手段】水溶性のカルシウム化合物またはカルシウムイオンを含む生育調節剤は、葉面に散布したり土壌に散布あるいは注入して施用でき、トマトやピーマンの尻ぐされ、チャック、窓あき果の防止、ミニトマトの芯止まり、ナスの日焼け、ボケ果の防止、メロンの色玉果、発酵果の防止、ネギの葉先枯れ防止、結球野菜（白菜、キャベツ、レタスなど）の芯ぐされ、縁ぐされ防止、大根の赤芯黒芯防止、葉菜類、果菜類のチップバーン防止、豆類の着莢率向上、水稲の倒伏防止、結実性向上、花き類の葉折れ、葉先枯れ防止、温州ミカンの結実性向上、浮皮防止、リンゴの花器充実、縮果症、ビターピット防止、モモの日持ち性向上、硬度向上、ブドウの花振るい防止、各種果樹の徒長防止等の施用効果が得られる。【選択図】  なし【特許請求の範囲】
【請求項１】
水溶性のカルシウム化合物を含むことを特徴とする植物の生育調節剤。
【請求項２】
請求項１記載の植物の生育調節剤において、
前記カルシウム化合物が有機酸カルシウムであることを特徴とする植物の生育調節剤。
【請求項３】
請求項２記載の植物の生育調節剤において、
前記有機酸カルシウムがカルボン酸カルシウムであることを特徴とする植物の生育調節剤。
【請求項４】
請求項３記載の植物の生育調節剤において、
前記カルボン酸カルシウムが蟻酸カルシウムであることを特徴とする植物の生育調節剤。
【請求項５】
カルシウムイオンを含むことを特徴とする植物の生育調節剤。
【請求項６】
請求項５記載の植物の生育調節剤において、
前記カルシウムイオン源が有機酸カルシウムであることを特徴とする植物の生育調節剤。
【請求項７】
請求項６記載の植物の生育調節剤において、
前記有機酸カルシウムがカルボン酸カルシウムであることを特徴とする植物の生育調節剤。
【請求項８】
請求項７記載の植物の生育調節剤において、
前記カルボン酸カルシウムが蟻酸カルシウムであることを特徴とする植物の生育調節剤。
【発明の詳細な説明】
【０００１】
【発明の属する技術分野】
本発明は、植物の生育調節剤に関する。
【０００２】
【従来の技術】
農作物などの成長や発育を制御して、例えば増収を図ったり労力を省いたりする目的で用いられる生育調節剤がある。
【０００３】
【非特許文献１】
財団法人日本植物調節剤研究協会、”植調”、植物の生育調節、［ｏｎｌｉｎｅ］、財団法人日本植物調節剤研究協会、［平成１５年２月１８日検索］、インターネット＜ＵＲＬ：ｈｔｔｐ：／／ｗｗｗ．ｊａｐｒ．ｏｒ．ｊｐ／ｉｎｄｅｘ．ｈｔｍｌ＞
【０００４】
【発明が解決しようとする課題】
従来の生育調節剤は、例えば水稲の倒伏軽減、トマトの着果増進、ぶどうの種なし化、花きの伸長抑制等の目的別に異なる種類の薬剤が用いられていた。中にはトマトの着果増進と果実の肥大促進というように、相互に関連性がある２種類の効能を有するものもあるが、多目的に使用できるものはなかった。
【０００５】
【課題を解決するための手段】
請求項１記載の植物の生育調節剤は、水溶性のカルシウム化合物を含むことを特徴とする。
また、請求項５記載の植物の生育調節剤は、カルシウムイオンを含むことを特徴とする。
【０００６】
カルシウムは、植物細胞の同化力を高める働きや、植物体内での養分転流、水分代謝などに重要な役割を果たしていることが知られている。植物生長発育についてのカルシウムの作用は、例えば下記のように認識されている。
（１）    植物中に吸収された硝酸態窒素が使用されるタンパク合成。
（２）    原形質に吸着されて保護膠質として作用する。
（３）    細胞と細胞との中葉にあるペクチン酸と結合してペクチン酸カルシウムとなり組織を固くする。
（４）    葉などにおいて代謝作用により出来た過剰な有機酸を中和して正常な生理作用を助成する。
（５）    糖分の移動に関与し葉中にて合成された炭水化物の子実への移動を助成する。
【０００７】
このようなカルシウムの役割から、植物体内において細胞分裂が盛んな部分、例えば成長点、結球野菜の芯部分、花粉管、果皮等で多く要求される。また、カルシウムが不足すると例えばトマトの尻くされ、奇形果、カビ病、白菜の心くされ、りんごのビターピット（苦痘病）発生等の生理障害を起すことが知られている。
【０００８】
従来、カルシウムの補給は、例えば石灰や炭酸カルシウムの水和剤などの散布によって行われていたが、石灰にしろ炭酸カルシウムにしろ不溶性であるために吸収効率がよくなかった。また、果実の表面などに残留した場合は白色を呈して外観上好ましくない等の問題もあった。
【０００９】
請求項１記載の植物の生育調節剤は、水溶性のカルシウム化合物を含むことを特徴とし、例えば粉末や水溶液として葉面に散布したり、土壌に散布あるいは注入して使用される。
カルシウム化合物は、水溶性でありさえすれば使用できるが、例えばｐＨ９以上の塩基性やｐＨ５以下の酸性の化合物は、植物体に害を及ぼすおそれがるので好ましくない。ただし、施用する植物の種類、品種などによって一律ではなく、上記のｐＨによる制限は絶対ではない。
【００１０】
また、カルシウム化合物は、無機化合物と有機化合物のどちらでも使用できるが、請求項２記載の有機酸カルシウムは、その多くがｐＨ６〜７程度の弱酸性であり、植物（樹液）のｐＨ値に近いので、植物体に害を及ぼすおそれはないから好ましい。
【００１１】
そうした有機酸の中でもカルボン酸類は太陽光中の紫外線によって水と二酸化炭素とに分解されるので、例えばカルボン酸カルシウムを葉面に散布した際に植物の葉面や樹枝等に害となるような物質が残留するおそれはない。一方、無機カルシウム剤には、例えば塩化カルシウムのように塩素が残留して葉面を焼く、薬害を生じるものもある。
【００１２】
したがって、無機カルシウム剤よりも有機酸カルシウムが好ましく、特に請求項３記載のカルボン酸カルシウムが好ましい。
そして、カルボン酸カルシウムの中でも請求項４記載の蟻酸カルシウムは、水溶液（１０％溶液）のｐＨ値がほぼ７で、例えば５００〜１０００倍程度に希釈して用いるれば事実上中性と言える。よって、植物の葉面や樹枝等に酸性または塩基性が原因となる薬害を及ぼすおそれはない。
【００１３】
しかも、蟻酸カルシウムは無臭であるので、散布時に吸引してむせたりするおそれはなく、作業性がよい。また、各種の農薬（消毒薬など）とも混用できる。
したがって、カルボン酸カルシウムの中でも請求項４記載の蟻酸カルシウムが最も好ましい。
【００１４】
請求項１〜４記載の植物の生育調節剤を水溶液にすれば、それぞれ請求項５〜８記載の植物の生育調節剤になる。これら請求項５〜８記載の植物の生育調節剤も葉面に散布したり、土壌に散布あるいは注入して使用される。
ただし、請求項４記載の植物の生育調節剤は、カルシウムイオンを含んでいればよいので、他のカルシウムイオン源を用いることや、例えば２つの化合物によって水溶液中にカルシウムイオンを発生させたものでもよい。
【００１５】
水溶性のカルシウム化合物（請求項１〜４）又はカルシウムイオンを含んでいる水溶液（請求項５〜８）を葉面等に散布するこよによりカルシウムを効率よく吸収させることができる。
これにより、トマトやピーマンの尻ぐされ、チャック、窓あき果の防止、ミニトマトの芯止まり、ナスの日焼け、ボケ果の防止、メロンの色玉果、発酵果の防止、ネギの葉先枯れ防止、結球野菜（白菜、キャベツ、レタスなど）の芯ぐされ、縁ぐされ防止、大根の赤芯黒芯防止、葉菜類、果菜類のチップバーン防止、豆類の着莢率向上、水稲の倒伏防止、結実性向上、花き類の葉折れ、葉先枯れ防止、温州ミカンの結実性向上、浮皮防止、リンゴの花器充実、縮果症、ビターピット防止、モモの日持ち性向上、硬度向上、ブドウの花振るい防止、各種果樹の徒長防止等の施用効果が得られる。
【００１６】
請求項１〜８の生育調節剤は、１種類で上例のような各種の効能があり、多目的に使用できる。
また、請求項１〜８の生育調節剤は、ホウ素と併用することにより、多くの効能が向上する。
【００１７】
ホウ素は、例えばペクチンの生成において重要な役割を担うと共に、カルシウムの吸収や移動に関与しており、ホウ素が不足するとカルシウムの吸収や移動が不十分となることが知られている。したがって、ホウ素を添加することで、上述のカルシウムによる効能をさらに高めることができる。
【００１８】
本発明の生育調節剤は水溶液の葉面散布が望ましいが、葉面に付着する量には限度があるので、１回に大量に散布するよりも複数回に分けての散布が好ましい。複数回の散布に当たっては、前回に散布された分が吸収された後に次回の散布を行うと効率がよくなるので、散布間隔を１週間程度とするのが好ましい。
【００１９】
希釈倍率については、植物体の生長度合や種類、品種等に応じて適宜決定すれば良い。ただし、ホウ素を添加する場合にはホウ素の過剰を招かないためにも、ホウ素を基準にして（例えば散布液中のホウ素の濃度が０．１％未満となる程度に）希釈倍率を決定するのが好ましい。カルシウム源として蟻酸カルシウムを用いる場合であれば、ホウ素の配合比にもよるが、普通、希釈倍率は３００倍〜８００倍、好ましく４００倍〜５００倍の範囲である。
（実施例１）
結球野菜の芯ぐされ防止
蟻酸カルシウム１６５０ｇと硼酸３５０ｇとを秤量、混合して（蟻酸カルシウムとホウ素の比率はほぼ１００：３．７）これを水で溶解して、１０００倍、５００倍、４００倍の散布液として、キャベツの定植時に葉面散布し、その後７日おきに４回、合計５回にわたって葉面散布した。
【００２０】
４００倍区および５００倍区では芯ぐされの発生はなかったが、１０００倍区ではわずかながら芯ぐされが発生した。４００倍〜５００倍程度の希釈倍率が芯ぐされの防止に有効であることが確認できた。
（実施例２）
徒長防止
蟻酸カルシウムを１０００倍の水溶液を、温州ミカンの春芽の発芽直後に１回目を散布し、以後１０日毎に３回、計４回の葉面散布を行った。発芽から約１．５ヶ月後に、蟻酸カルシウムを葉面散布した温州ミカンと無散布の温州ミカンとから、それぞれ１００本の新梢を採り長さを比較した。散布したものではほとんどが３０ｃｍ以内、多くは１０ｃｍ以内であったが、無散布のものは３０ｃｍを超えるものが目立った。この結果から、徒長を抑制できることが確認できた。
（実施例３）
浮皮防止
蟻酸カルシウムおよび硼酸を秤量混合し、水で希釈して、開花前の５月上旬に２回、果実の肥大期に相当する５月下旬〜８月上旬にかけて３回、９月（西日本では上旬、静岡付近では中、下旬）から収穫期までに３回、温州ミカンに葉面散布した。
【００２１】
散布した温州ミカンの浮皮発生率は無散布の温州ミカンの浮皮発生率よりも低率であり、両者には有意の差が認められた。また、収穫期の果実表面には、未吸収の蟻酸カルシウムまたは硼酸の残留は認められなかった。
以上、実施例を挙げて、本発明の実施の形態について説明したが、本発明はこのような実施例に限定されるものではなく、本発明の要旨を逸脱しない範囲でさまざまに実施できることは言うまでもない。